(57)【要約】      （修正有）【課題】飲料容器専用のゴミ箱において、飲料容器の鉄缶、瓶、アルミ缶を手作業によることなく自動的に分別し、並びに扉を開閉することなく中身の量を確認する。【解決手段】投入口１より投入された飲料容器に重力により回転を加えるための受け板３を備え、該受け板３の坂の下に設けた鋭角部分５に磁石を設置するとともに、鉄缶専用の落下口を設け、他の飲料容器が該落下口を飛び越す位置に設けた板６の両端の付け根部分７にバネを設置し、瓶の重さにより該板６を開閉して、瓶とアルミ缶とを分別する。また扉の部分に、縦に細長く確認の窓をつける。【選択図】図２
2008214095.tif 000002
【特許請求の範囲】
【請求項１】
重力から生まれる回転を利用し、板の下に設置された磁石の力を利用することで、鉄缶の回転速度を減速させ、その他の飲料容器との分別を特徴とするごみ箱。
【請求項２】
板の付け根の部分にバネを設置することで、瓶とその他の飲料容器とを重さにより、分別することを特徴とするごみ箱。
【請求項３】
鉄缶、瓶、アルミ缶、各自専用の箱に確認窓を付けることで、箱の中を確認できることを特徴とするごみ箱。
【発明の詳細な説明】
【技術分野】
【０００１】  本発明は、ごみ箱に関するものであり、重力と磁石の力とバネの力に工夫を加えることにより、飲料容器の鉄缶、瓶、アルミ缶とを自動で分別するようにしたものである。
【背景技術】
【０００２】  特に知りません。
【発明の開示】
【発明が解決しようとする課題】
【０００３】  従来設置されている飲料容器専用のごみ箱では、手作業による分別がなされており非常に不便である。本発明は、このような手作業による分別を、自動で鉄缶、瓶、アルミ缶とを分別して、手作業による分別を解決することを課題とする。
【課題を解決するための手段】
【０００４】  この課題を解決するための請求項１の発明は、重力により板の上を回転した飲料容器は、板の下に設置された磁石の上を通過する過程で、磁石の吸引力により回転速度が減速され、鉄缶専用ごみ箱に落下する。これにより鉄缶を分別できる。【０００５】  また、請求項２の発明は、バネの力を利用することで瓶とその他の飲料容器とを重さにより分別することを特徴とする。板の両端の付け根部分にバネを設置する。
板の上を瓶が通過すると、瓶の重さにより板が開閉し、瓶専用ごみ箱に落下する。
これにより瓶を分別できる。【０００６】  また、請求項３の発明は、鉄缶、瓶、アルミ缶、各専用の箱に確認窓を付けることにより、扉を開け閉めすることなく、中身の飲料容器の量を確認できる。
【発明の効果】
【０００７】  本発明により、手作業による分別をされていた鉄缶、瓶、アルミ缶を自動で分別できる。
本発明は、重力と磁石とバネを動力としているため、その他の動力を必要としない。
【発明を実施するための最良の形態】
【０００８】  図１は、外観からの自動分別式ごみ箱の図である。確認窓が三箇所あることが特徴である。内部の飲料容器の量を確認するものなので、縦長が特徴である。【０００９】  図２は、自動分別式ごみ箱の断面図である。投入口より投入された飲料容器は、回転を加えるために、受け板を備える。受け板に受けた飲料容器は、磁石が設置された板へと転がる。この板には鋭角部分を作る。そして、磁石の設置箇所はその板の下の鋭角部分にする。ここを回転した鉄缶は、磁石の吸引により回転が減速し、鉄缶専用の箱に落下する。次に、磁石の力が作用しない瓶とアルミ缶は、鉄専用の落下口を飛び越して、そのまま両端の付け根部分にバネを設置した板へと転がる。この板はバネの力に支えられ、瓶落下口を塞ぐ、蓋の役割をしている。回転速度に瓶の重さが加わり、バネが設置された板は開閉し、瓶は落下する。
残ったアルミ缶は、そのままアルミ缶専用箱に落下をして分別が完了する。【００１０】  これら自動分別式ごみ箱の材料は、プラスチックなどがよい。磁石は、自動分別式ごみ箱の横幅に合わせたものを使用する。磁石の設置部分として、板の鋭角部分に沿って備え付ける。バネの材料は金属製のものがよい。バネの設置箇所は、瓶落下口の蓋の役割もするので、板の付け根部分の両端にする。
【産業上の利用可能性】
【００１１】  本発明は、ごみ箱であるため、公園、小売店舗、その他人々の行き来する場所への設置により、その性能を発揮するものであるため、産業上の利用可能性を有する。
また、分別することにより、資源の再利用、有効利用につながる。
【図面の簡単な説明】
【００１２】
【図１】自動分別式ごみ箱の外観正面の図である。
【図２】自動分別式ごみ箱の断面図である。
【符号の説明】
【００１３】１    飲料容器を投入する投入口
２    鉄缶、瓶、アルミ缶の量を確認する確認窓
３    飲料容器を受ける、受け板
４    磁石が設置させた板
５    磁石設置箇所
６    瓶落下口を塞ぐ板
７    バネ設置箇所
８    鉄缶専用箱
９    瓶専用箱
１０  アルミ缶専用箱
【図１】
2008214095.tif 000003
【図２】
2008214095.tif 000004
【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
飲料容器である瓶、アルミ缶、鉄缶を分別して収容する自動分別式ごみ箱であって、
前記飲料容器を投入する投入口を備えた自動分別式ごみ箱本体と、
前記投入口から前記自動分別式ごみ箱本体内に投入された前記飲料容器を下方に誘導する下方に傾斜した飲料容器誘導板と、
前記飲料容器誘導板の底面端部付近に設けられた前記鉄缶の回転速度を減速させる磁石と、
前記自動分別式ごみ箱本体内において前記飲料容器誘導板の端部より所定距離離れた前方下方に位置し、前記飲料容器のうち瓶を収容する瓶専用箱と、
前記瓶専用箱の入り口に設けられたバネにより開閉する蓋と、
前記自動分別式ごみ箱本体内において前記飲料容器誘導板の端部から前記瓶専用箱よりも離れた位置に位置し、前記瓶専用箱と隣接した前記飲料容器のうちアルミ缶を収容するアルミ缶専用箱と、
前記自動分別式ごみ箱本体内において前記飲料容器誘導板の略真下付近に位置し、前記瓶専用箱と隣接した前記飲料容器のうち鉄缶を収容する鉄缶専用箱と
を具備し、
前記蓋は、前記瓶に相当する重量より大きな重量を有する飲料容器が落下してきた場合に開き、
前記鉄缶専用箱の入り口である落下口は、前記飲料容器誘導板の真下付近から前記飲料容器誘導板の端部より前方下方の所定の位置まで伸びていることを特徴とする自動分別式ごみ箱。
【手続補正２】
【補正対象書類名】明細書
【補正対象項目名】全文
【補正方法】変更
【補正の内容】
【発明の詳細な説明】
【技術分野】
【０００１】  本発明は、ごみ箱に関し、特に、重力と磁石の力とバネの力とに工夫を加えることにより、飲料容器の鉄缶、瓶、アルミ缶とを自動で分別するようにしたものである。
【背景技術】
【０００２】  特に知りません。
【発明の開示】
【発明が解決しようとする課題】
【０００３】  従来設置されている飲料容器専用のごみ箱では、手作業による分別がなされており非常に不便である。本発明は、このような手作業による分別をなくし、自動で鉄缶、瓶、アルミ缶とを分別できる自動分別式ごみ箱を提供することを目的とする。
【課題を解決するための手段】
【０００４】    この課題を解決するため、請求項１の発明は、飲料容器である瓶、アルミ缶、鉄缶を分別して収容する自動分別式ごみ箱であって、上記飲料容器を投入する投入口を備えた自動分別式ごみ箱本体と、上記投入口から上記自動分別式ごみ箱本体内に投入された上記飲料容器を下方に誘導する下方に傾斜した飲料容器誘導板と、上記飲料容器誘導板の底面端部付近に設けられた上記鉄缶の回転速度を減速させる磁石と、上記自動分別式ごみ箱本体内において上記飲料容器誘導板の端部より所定距離離れた前方下方に位置し、上記飲料容器のうち瓶を収容する瓶専用箱と、上記瓶専用箱の入り口に設けられたバネにより開閉する蓋と、上記自動分別式ごみ箱本体内において上記飲料容器誘導板の端部から上記瓶専用箱よりも離れた位置に位置し、上記瓶専用箱と隣接した上記飲料容器のうちアルミ缶を収容するアルミ缶専用箱と、上記自動分別式ごみ箱本体内において上記飲料容器誘導板の略真下付近に位置し、上記瓶専用箱と隣接した上記飲料容器のうち鉄缶を収容する鉄缶専用箱とを具備し、上記蓋は、上記瓶に相当する重量より大きな重量を有する飲料容器が落下してきた場合に開き、上記鉄缶専用箱の入り口である落下口は、上記飲料容器誘導板の真下付近から上記飲料容器誘導板の端部より前方下方の所定の位置まで伸びていることを特徴とするものである。これにより、瓶、アルミ缶、鉄缶をそれぞれ手作業なく分別させるという作用をもたらす。
【発明の効果】
【０００５】  本発明により、手作業による分別をされていた鉄缶、瓶、アルミ缶を自動で分別できる。また、本発明は、重力と磁石とバネとを動力としているため、その他の動力を必要としない。
【発明を実施するための最良の形態】
【０００６】  図１は、外観からの自動分別式ごみ箱の図である。確認窓が三箇所あることが特徴である。内部の飲料容器の量を確認するものなので、縦長が特徴である。【０００７】  図２は、自動分別式ごみ箱の断面図である。自動分別式ごみ箱本体に備えられた投入口より投入された飲料容器は、回転を加えるために、受け板を備える。受け板に受けた飲料容器は、磁石が設置された板へと転がる。そして、飲料容器は、磁石が設置された板上を転がって下方に移動していく。すなわち、自動分別式ごみ箱本体に備えられた投入口より投入された飲料容器は、受け板と磁石が設置された板とにより構成された飲料容器誘導板（以下において、受け板と磁石が設置された板とにより構成された部材を飲料容器誘導板と呼ぶ。）により下方へ移動させられる。この磁石が設置された板の端部に鋭角部分を作る。そして、磁石の設置箇所はその磁石が設置された板の底面部の鋭角部分にする。ここを回転した鉄缶は、磁石の吸引により回転が減速し、鉄缶専用の箱に落下する。なお、図２に示すように鉄缶専用の箱の入り口である落下口は、飲料容器誘導板の略真下付近から飲料容器誘導板より前方下方の所定の位置まで伸びている。すなわち、鉄缶専用の箱の入り口である落下口は、飲料容器誘導板より前方下方にも位置することになる。次に、磁石の力が作用しない瓶とアルミ缶は、鉄缶専用の落下口を飛び越して、そのまま両端の付け根部分にバネを設置した板へと転がる。この板はバネの力に支えられ、飲料容器誘導板の端部より落下してきた瓶の入り口である瓶落下口を塞ぐ蓋の役割をしている。回転速度に瓶の重さが加わり、バネが設置された板は開き、瓶は落下する。残ったアルミ缶は、そのままアルミ缶専用箱に落下して分別が完了する。【０００８】  これら自動分別式ごみ箱の材料は、プラスチックなどがよい。磁石は、自動分別式ごみ箱の横幅に合わせたものを使用する。磁石の設置部分として、板の鋭角部分に沿って備え付ける。バネの材料は金属製のものがよい。バネの設置箇所は、瓶落下口の蓋の役割もするので、板の付け根部分の両端にする。
【産業上の利用可能性】
【０００９】  本発明は、ごみ箱であるため、公園、小売店舗、その他人々の行き来する場所への設置により、その性能を発揮するものであるため、産業上の利用可能性を有する。また、分別することにより、資源の再利用、有効利用につながる。
【図面の簡単な説明】
【００１０】
【図１】自動分別式ごみ箱の外観正面図である。
【図２】自動分別式ごみ箱の断面図である。
【符号の説明】
【００１１】１  飲料容器を投入する投入口
２  鉄缶、瓶、アルミ缶の量を確認する確認窓
３  飲料容器を受ける受け板
４  磁石を設置させた板
５  磁石設置箇所
６  瓶落下口を塞ぐ板
７  バネ設置箇所
８  鉄缶専用箱
９  瓶専用箱
１０  アルミ缶専用箱